(57)【要約】【課題】  ウェブ側面に所定間隔をおいて補強用フランジを突設形成している板桁をレールとして走行して、床版張り替え、点検補修、塗装等の諸作業を遂行するのに非常に便利な橋梁用移動走行装置を提供する。【解決手段】  横梁１に設けた支持ブラケット７、７と、その横梁１にスライド可能に貫挿する走行軌条２に設けた走行用支持ブラケット８、８との一方に設けた盛り替え用ジャッキ２７、２７のジャッキアップ、ジャッキダウンで、横梁１を板桁下フランジｂ２上面に、また走行軌条２を板桁下フランジｂ２上面に交互に係合させて交互に反力部３を構成して、それに連係する走行用ジャッキの伸長、収縮による盛り替えで板桁に沿って走行させる。下フランジｂ２上面に対する非係合状態の走行用支持ブラケット８、８、支持ブラケット７、７をウェブｂ１’から離間する方向へ水平移動させておくことによって、ウェブｂ１’側面から突設する補強用リブｂ３との衝突を回避して走行させる。【選択図】  図６
2006188824.tif 000002
【特許請求の範囲】
【請求項１】
橋梁下方で橋梁短手方向を向いて配置した横梁に、左右の板桁の長手方向各々に沿う走行軌条をスライド可能に貫挿し、走行軌条に設けた係止部の板桁下フランジ上面との係合と、横梁に設けた係止部の同下フランジ上面との係合との交互係合で反力部を形成し、横梁と係止部を備えた走行軌条とを走行用ジャッキで連絡して、下フランジに対する支持を、前記交互係合による反力部と、伸長、収縮する前記走行用ジャッキのその各作動とによる横梁、走行軌条への交互盛り替えで行うようになし、前記両係止部を前記板桁のウェブに対して水平方向に接近・離間するように移動可能に形成して、前記盛り替え時において、ウェブに間隔をおいて設けられている補強用リブとの衝突回避を非係合状態の係止部のウェブからの離間方向への水平移動で防止することを特徴とする橋梁用移動走行装置。
【請求項２】
橋梁下方で橋梁短手方向を向いて配置した横梁に、左右の板桁の下フランジ上面に係合する支持ブラケットを設け、前記横梁をスライド可能に貫挿して前記板桁の長手方向に沿って設けた平行な左右の走行軌条に、前記下フランジ上面に係合する走行用支持ブラケットを前記支持ブラケットに対して板桁の長手方向に前後関係をもって配置し、前記横梁と、走行用支持ブラケットを備えた走行軌条とを走行用ジャッキで連絡すると共に前記支持ブラケット、走行用支持ブラケットを、その一方に盛り替え用ジャッキを設けてジャッキアップ時にその盛り替え用ジャッキが下フランジ上面に係合し且つそのジャッキダウン時に他方が下フランジ上面に係合するように構成して、前記下フランジに対する支持を、前記交互係合による反力部と、伸長、収縮する前記走行用ジャッキのその各作動とによる支持ブラケット、走行支持ブラケットへの盛り替えで交互に行うようになし、前記支持ブラケット、走行支持ブラケットを前記板桁のウェブに対して水平方向に接近・離間するように水平移動可能に形成し、その盛り替え時において、ウェブに間隔をおいて設けられている補強用リブとの衝突回避を下フランジ上面に対する非係合状態の走行用支持ブラケット、支持ブラケットのウェブからの離間方向への水平移動で防止することを特徴とする橋梁用移動走行装置。
【請求項３】
前記走行軌条または横梁に作業用足場を連結したことを特徴とする請求項１または２記載の橋梁用移動走行装置。
【請求項４】
前記横梁に床版を押上げる押上げ用ジャッキ機構を備えたことを特徴とする請求項１〜３いずれか１項記載の橋梁用移動走行装置。
【請求項５】
前記押上げ用ジャッキ機構は、前記板桁の下フランジ上面にピストンロッドを突き当てて上昇するジャッキ本体と、横梁に設けられて前記ジャッキ本体をウェブに対して水平方向に接近・離間するように移動可能に連結するポストガイド部と、そのポストガイド部に抜き差しピンで段階的に高さ調整可能に案内する床版押上げポストとを備えていることを特徴とする請求項４記載の橋梁用移動走行装置。
【請求項６】
前記横梁に床版を押上げる押上げ用ジャッキ機構を備え、前記押上げ用ジャッキ機構は、板桁の下フランジ上面にピストンロッドを突き当てて上昇する盛り替え用ジャッキと、横梁に設けられてその盛り替え用ジャッキをウェブに対して水平方向に接近・離間するように移動可能に連結するポストガイド部と、そのポストガイド部に抜き差しピンで段階的に高さ調整可能に案内する床版押上げポストとを備えていることを特徴とする請求項２記載の橋梁用移動走行装置。
【請求項７】
前記床版押上げポストの上端に押上げ実行体を螺嵌したことを特徴とする請求項５または６記載の橋梁用移動走行装置。
【発明の詳細な説明】
【技術分野】
【０００１】
本発明は板桁上に設置固定された床版（例えばコンクリート床版）を張り替えたり、板桁の塗装作業、点検補修する際等に橋梁に沿って移動する移動走行装置に関するものである。
【背景技術】
【０００２】
従来、橋梁用移動走行装置には、橋梁における板桁の下フランジを解除可能にクランプする前後一対のリフトアップダウン可能なクランプユニットと、そのクランプユニットとほぼ同一構成の足場付きの点検ユニットと、そのクランプユニット、点検ユニットを走行可能に支承するユニット用レールとを備え、前記下フランジに固定されたクランプユニット間を点検ユニットが走行することによって、橋脚等の点検を可能にし、板桁に沿っての移動時は、そのクランプユニット、点検ユニットを前記下フランジに対して固定してユニット用レールを移動させて行ったり、逆にクランプユニット、点検ユニットの下フランジに対する固定を解除してユニット用レール上を移動させることで行う構成のものが知られている（例えば、特許文献１参照）。
【０００３】
この先行技術は、前記するユニット用レールを大型トラック等に搭載できることから、専用レールを布設したり、固定式足場を橋梁に架設する大掛かりな手段を必要とせず、点検ユニットを橋梁の自由な位置に移動することができるようになっている。
【０００４】
ところで、車道、歩道等の基板となる床版（例えばコンクリート床版）を載置固定する板桁には、補強のために所定間隔おきにウェブ側面に補強用リブが突設形成されている。
しかしながら、先行技術では、クランプユニット、点検ユニット共に補強用リブを回避して走行可能できる構成にはなってはいない。
そして、先行技術の場合、クランプユニット、点検ユニットを走行可能に支承するユニット用レールが必要であり、大掛かりな設備構成を避けることができない。
その上、そのユニット用レールを搭載するトレーラー等の台車手段によって橋梁下部道路が長期に亘って占有され、交通規制による交通渋滞等の問題を残置してしまう。
【特許文献１】特開平７−１４５６０７号公報
【発明の開示】
【発明が解決しようとする課題】
【０００５】
本発明は上記従来事情に鑑みてなされたもので、その目的とする処は、ウェブ側面に所定間隔をおいて補強用フランジを突設形成している板桁を吊持レールとして走行して、床版張り替え、点検補修、塗装等の諸作業を遂行する際に等しく有効利用できる非常に便利な橋梁用移動走行装置を提供することにある。
【課題を解決するための手段】
【０００６】
前記課題を解決するために講じた技術的手段は、橋梁下方で橋梁短手方向を向いて配置した横梁に、左右の板桁の長手方向各々に沿う走行軌条をスライド可能に貫挿し、走行軌条に設けた係止部の板桁下フランジ上面との係合と、横梁に設けた係止部の同下フランジ上面との係合との交互係合で反力部を形成し、横梁と係止部を備えた走行軌条とを走行用ジャッキで連絡して、下フランジに対する支持を、前記交互係合による反力部と、伸長、収縮する前記走行用ジャッキのその各作動とによる横梁、走行軌条への交互盛り替えで行うようになし、前記両係止部を前記板桁のウェブに対して水平方向に接近・離間するように移動可能に形成して、前記盛り替え時において、ウェブに間隔をおいて設けられている補強用リブとの衝突回避を非係合状態の係止部のウェブからの離間方向への水平移動で防止することを特徴とする橋梁用移動走行装置である（請求項１）。
【０００７】
以上の手段によれば、橋梁下方で橋梁短手方向を向いて配した横梁と、その横梁に対してスライド可能に貫挿し板桁の長手方向各々に沿う走行軌条との各々に設けた係止部の板桁下フランジ上面への交互係合で反力部を構成し、その交互係合と、それに連係する走行用ジャッキの伸長、収縮の繰り返しで横梁と、走行軌条とに交互に盛り替えて、板桁に沿って走行させる。
その走行最中に板桁のウェブ側面から突設した補強用リブにその非係合状態の係合部が干渉するような態様になっても、係止部のウェブからの離間方向への水平移動で回避して、その走行を阻害しない。
【０００８】
また、橋梁下方で橋梁短手方向を向いて配置した横梁に、左右の板桁の下フランジ上面に係合する支持ブラケットを設け、前記横梁をスライド可能に貫挿して前記板桁の長手方向に沿って設けた平行な左右の走行軌条に、前記下フランジ上面に係合する走行用支持ブラケットを前記支持ブラケットに対して板桁の長手方向に前後関係をもって配置し、前記横梁と、走行用支持ブラケットを備えた走行軌条とを走行用ジャッキで連絡すると共に前記支持ブラケット、走行用支持ブラケットを、その一方に盛り替え用ジャッキを設けてジャッキアップ時にその盛り替え用ジャッキが下フランジ上面に係合し且つそのジャッキダウン時に他方が下フランジ上面に係合するように構成して、前記下フランジに対する支持を、前記交互係合による反力部と、伸長、収縮する前記走行用ジャッキのその各作動とによる支持ブラケット、走行支持ブラケットへの盛り替えで交互に行うようになし、前記支持ブラケット、走行支持ブラケットを前記板桁のウェブに対して水平方向に接近・離間するように水平移動可能に形成し、その盛り替え時において、ウェブに間隔をおいて設けられている補強用リブとの衝突回避を下フランジ上面に対する非係合状態の走行用支持ブラケット、支持ブラケットのウェブからの離間方向への水平移動で防止する構成にしても良いものである（請求項２）。
この請求項２と共に請求項１は、前記横梁を左右の板桁間隔に対応するように長さ調整可能に形成している。
この手段では、横梁に設けた支持ブラケットと、その横梁にスライド可能に貫挿する走行軌条に設けた走行用支持ブラケットとの一方に設けた盛り替え用ジャッキのジャッキアップ、ジャッキダウンで、横梁を板桁下フランジ上面に、また走行軌条を板桁下フランジ上面に交互に係合させて反力部を構成して、それに連係する走行用ジャッキの伸長、収縮と、その交互係合で横梁と走行軌条とに交互に盛り替えて、その板桁に沿って走行させる。
板桁のウェブ側面から突設形成している補強用リブとの回避は、板桁下フランジ上面に対する非係合状態の走行用支持ブラケット、支持ブラケットのウェブからの離間方向への水平移動で対処する。
【０００９】
そして、走行軌条または横梁に作業用足場を連結していると、板桁を塗装したり、保守点検する際に有効である（請求項３）。
【００１０】
また、横梁に床版を押上げる押上げ用ジャッキ機構を備えていると、耐用期や損傷等によって床版を張り替える時に最適なものとなる（請求項４）。
床版（例えばコンクリート床版）Ｂ１は、図９に示すように、板桁ｂ１の上フランジｂ４に対応する箇所に等間隔をおいて打設用の孔１０が開孔され、その上フランジｂ４に載置した状態でその上フランジｂ４から立設したスタッドボルト１００回りに打設材（コンクリート床版にあってはコンクリート材）２００を打設して、板桁ｂ１に固定されている。
そして、耐用期や損傷等による床版の張り替えは、前記打設材２００をハツリ、前記押上げ用ジャッキ機構６で床版Ｂ１を板桁ｂ１の上フランジｂ４から剥すことによって行う。
【００１１】
そして、押上げ用ジャッキ機構は、前記板桁の下フランジ上面にピストンロッドを突き当てて上昇するジャッキ本体と、横梁に設けられて前記ジャッキ本体をウェブに対して水平方向に接近・離間するように移動可能に連結するポストガイド部と、そのポストガイド部に抜き差しピンで段階的に高さ調整可能に案内する床版押上げポストとを備えていると好適なものである（請求項５）。
この手段にあっては、床版押上げポストを床版の裏面に当接または接近するように人為的に引き上げて高さ調整した後、ジャッキ本体をジャッキアップすることによって横梁と共に床版押上げポストを押上げて、床版を板桁の上フランジから剥離させ、小型ジャッキで床版の剥離を可能にする。
【００１２】
また、横梁に床版を押上げる押上げ用ジャッキ機構を備え、前記押上げ用ジャッキ機構は、板桁の下フランジ上面にピストンロッドを突き当てて上昇する盛り替え用ジャッキと、横梁に設けられてその盛り替え用ジャッキをウェブに対して水平方向に接近・離間するように移動可能に連結するポストガイド部と、そのポストガイド部に抜き差しピンで段階的に高さ調整可能に案内する床版押上げポストとを備えていると、ジャッキアップで板桁下フランジ上面に係合して盛り替え時の係合抵抗を生成する盛り替え用ジャッキを、床版を押上げる押上げ用ジャッキ機構のジャッキ本体として兼務させる（請求項６）。
【００１３】
そして、床版押上げポストの上端に押上げ実行体を螺嵌した構成を採用することによって、床版押上げポスト上端の押上げ端を微調整可能にすることができる（請求項７）。
【発明の効果】
【００１４】
本発明は以上のように構成したから下記の利点がある。
（請求項１、２）
左右の板桁の下フランジに吊持状に支持されてその下フランジを走行レールにしてウェブ側面から突設形成されている補強用リブとの衝突を回避しながら走行する橋梁用移動走行装置を提供することができる。
しかも、先行技術のような大掛かりなユニット用レールが全く不要であるし、そのユニット用レールを搭載するトレーラー等の台車手段で橋梁下部道路が占有される虞れもなく、交通規制による交通渋滞を全く考慮する必要がない。
（請求項３）
盛り替えで走行する走行軌条や横梁に作業用足場が連結されているから、その作業用足場を使用して板桁を塗装したり保守点検することができる。
（請求項４）
また、床版を押上げる押上げ用ジャッキ機構を備えているから、張替え時に床版を板桁から剥離することができる。
（請求項５）
しかも、床版押上げポストを床版に接近するように人為的に引き上げて高さ調整可能とし、ジャッキ本体をジャッキアップすることよって床版押上げポストを支持する横梁が押上げられる構成であるから、小型軽量なジャッキを使用して床版の張替えに対処できる。
（請求項６）
また、前記ジャッキ本体を、ジャッキアップで板桁下フランジ上面に係合して盛り替え時の係合抵抗を生成する盛り替え用ジャッキで構成しているから、押上げ用ジャッキ機構として専用のジャッキを付設する必要がなく、設備コストの低減に寄与することができる。
（請求項７）
その上、螺嵌する押上げ実行体を床版押上げポストの上端に設けた構成を採用して、床版裏面に、より接近したり当接するように微調整可能であり、押上げ用ジャッキ機構のジャッキ本体として兼務される、より小型軽量なストロークが小さな盛り替え用ジャッキを使用して床版を板桁の上フランジから剥離可能であり、板桁に吊持状に支持されて走行して自重を板桁に作用させる橋梁用移動走行装置として最適である。
【発明を実施するための最良の形態】
【００１５】
横梁に設けた支持ブラケットと、その横梁にスライド可能に貫挿する走行軌条に設けた走行用支持ブラケットとの一方に設けた盛り替え用ジャッキのジャッキアップ、ジャッキダウンで、横梁を板桁下フランジ上面と、走行軌条を板桁下フランジ上面とに交互に係合させてその係合抵抗で反力部を構成する。
そして、その交互係合と走行用ジャッキの伸長、収縮を連係させて、横梁と、走行軌条とに交互に盛り替えて、盛り替えの度に板桁に沿って所定長さ宛走行させる。
走行時における板桁のウェブ側面に所定間隔をおいて突設する補強用リブとの衝突回避は、板桁下フランジ上面に対する非係合状態の走行用支持ブラケット、支持ブラケットのウェブからの離間方向への水平方向への移動で回避する。
【００１６】
そして、押上げ用ジャッキ機構をジャッキアップして板桁の下フランジ上面に係合することによって、横梁と共に押し上げられる床版押上げポストで床版を押上げて板桁の上フランジに対する接着を剥す。
この剥離作業を、橋梁用移動走行装置を橋梁の板桁に沿って走行させつつ所定箇所で行って張替え対象になっている床版をクレーン等で持上げ可能に剥離する。
【実施例１】
【００１７】
図１〜図９は本発明橋梁用移動走行装置の実施の形態を示し、符号Ａはその橋梁用移動走行装置である。
図１に示す橋梁用移動走行装置の正面図以外の図面については、図１における橋梁用移動走行装置の左側半部もしくは左側半部の要部を抽出して示している。
この橋梁用移動走行装置Ａは、橋梁Ｂの下方に橋梁Ｂの短手方向を向いて配された横梁１と、左右の板桁ｂ１、ｂ１の長手方向各々に沿うように前記横梁１にスライド可能に形成された左右の走行軌条２、２と、その横梁１と板桁ｂ１の下フランジｂ２上面との間及び走行軌条２と板桁ｂ１の下フランジｂ２上面との間に交互に形成される反力部３と、横梁１と走行軌条２各々とに亘って架設された走行用ジャッキ４と、走行軌条２各々に連結された作業用足場５と、その横梁１に設けた押上げ用ジャッキ機構６等を備えている。
【００１８】
前記横梁１は、図１、図２等に示すように、橋梁Ｂのコンクリート床版Ｂ１における左右の板桁ｂ１、ｂ１の下方でその板桁ｂ１、ｂ１に直交するように配され床版Ｂ１長手方向に平行して隣設する左右二対のジャッキ支持フレーム１１、１１同士を中間フレーム２１で連結し、そのジャッキ支持支持フレーム１１、１１の対向端部にウェブ間隔調整材３１、３１をスライド可能に嵌挿して抜き差し可能にピン４１止めすることによって長さ調整可能に形成されている。
【００１９】
また、前記横梁１は、図１、図４等に示すように左右二対のジャッキ支持フレーム１１、１１に上向き略コ字状の軌条支持ブラケット５１、５１を垂設すると共に、その軌条支持ブラケット５１、５１に走行軌条２をスライド可能に貫挿し、更にそのジャッキ支持フレーム１１、１１各々に、板桁ｂ１の下フランジｂ２上面との係止部（後述では横梁側係止部と称する）７を設けている。
【００２０】
前記横梁側係止部７は、板桁ｂ１の下フランジｂ２幅寸法よりも広い間隔をおいて離間する内外位置に配置され、その離間位置からウェブｂ１’厚寸法よりも若干広い間隔まで水平方向に移動可能に構成されている。
【００２１】
その外側の横梁側係止部７は、図２、図４等に示すように、ジャッキ支持フレーム１１の外端部分に摺動可能に外嵌するブラケット１７と、そのブラケット１７に設けた盛り替え用ジャッキ２７と、前記ジャッキ支持フレーム１１外端面から外側に突設する支持台１１ａに設置されブラケット１７を水平方向に移動可能とする第１開閉ジャッキ３７とで形成されており、板桁ｂ１の下フランジｂ２においてウェブｂ１’を挟む外半部の上面に係脱する外側の支持ブラケット（後述では符号７を付して説明する）を形成している。
【００２２】
他方、内側の横梁側係止部７は、同図２、図４等に示すように前記ジャッキ支持フレーム１１を貫挿する床版押上げポスト４７を案内する同ジャッキ支持フレーム１１上面に載置したポストガイド部５７に、ピストンロッド２７ａを下向きにジャッキアップ可能とする盛り替え用ジャッキ２７を設け、且つそのポストガイド部５７を回動可能に構成することによって盛り替え用ジャッキ２７を水平方向に旋回動可能とし、板桁ｂ１の下フランジｂ２においてウェブｂ１’を挟む内半部の上面に係脱する内側の支持ブラケット（後述では符号７を付して説明する）を形成している。
【００２３】
そして、前記第１開閉ジャッキ３７を伸長し、更にポストガイド部５７を９０度旋回動させて、両盛り替え用ジャッキ２７、２７を板桁ｂ１の下フランジｂ２においてウェブｂ１’を挟む内外半部の上面に臨ませ、その状態からジャッキアップしてピストンロッド２７ａ、２７ａがウェブｂ１’を挟む下フランジｂ２の内外半部上面各々に係合する係合抵抗で反力部３を構成するようになっている。
【００２４】
前記軌条支持ブラケット５１は、その内面にスライド可能に貫挿される走行軌条２を上下左右にガタツクことなく案内する複数の案内ローラ５１ａ…を左右対向面や上面に備えている。
【００２５】
前記走行軌条２は、図２、図５に示すように、その両端に支持フレーム１２を交差するように設置し、その支持フレーム１２各々に板桁ｂ１の下フランジｂ２上面との係止部（後述では軌条側係止部と称する）８を設けている。
【００２６】
この軌条側係止部８は、前記横梁側係止部７と同様に板桁ｂ１の下フランジｂ２幅寸法よりも広い間隔をおいて離間する内外位置に配置され、その離間位置からウェブｂ１’厚寸法よりも若干広い間隔まで水平方向に移動可能に構成されている。
【００２７】
その外側の軌条側係止部８は、図２、図５等に示すように支持フレーム１２の外端部分に摺動可能に外嵌する逆Ｌ字状ブラケット１８を、支持フレーム１２外端面から外側に突設する支持台２８に設置された第２開閉ジャッキ３８で水平移動可能に形成して、板桁ｂ１の下フランジｂ２においてウェブｂ１’を挟む外半部の上面に係脱する外側の走行用支持ブラケット（後述では符号８を付して説明する）を形成している。
【００２８】
他方、内側の軌条側係止部８は、図２、図５等に示すように前記支持フレーム１２にポスト４８を回動可能に設け、該ポスト４８に支持アーム５８を回動可能に取付けて、板桁ｂ１の下フランジｂ２においてウェブｂ１’を挟む内半部の上面に係脱する内側の走行用支持ブラケット（後述では符号８を付して説明する）を形成している。
【００２９】
そして、前記第２開閉ジャッキ３８を伸長して前記外側の走行用支持ブラケット８の逆Ｌ字状ブラケット１８先端の水平部１８ａを板桁ｂ１の下フランジｂ２においてウェブｂ１’を挟む外半部の上面上に臨ませ、ポスト４８を９０度回動させて内側の走行用支持ブラケット８先端の支持アーム５８を同下フランジｂ２においてウェブｂ１’を挟む内半部の上面上に臨ませた状態で、前記盛り替え用ジャッキ２７、２７をジャッキダウンすることによってウェブｂ１’を挟む下フランジｂ２の内外半部上面各々にその水平部１８ａ、支持アーム５８が係合して係合抵抗による反力部３を構成するようになっている。
【００３０】
前記内外の支持ブラケット７、７は、盛り替え用ジャッキ２７、２７をジャッキダウンして内外の走行用支持ブラケット８、８が、ウェブｂ１’を挟む下フランジｂ２の内外半部上面各々に係合されて反力部３を構成することによって、非係合状態となり、その状態時に第１開閉ジャッキ３７の収縮、ポストガイド部５７の９０度逆回動の実行で、ウェブｂ１’内外側から突設する補強用リブｂ３の正面視域から外れる位置まで前記盛り替え用ジャッキ２７、２７を離間できるようになっている。
【００３１】
また、内外の走行用支持ブラケット８、８は、盛り替え用ジャッキ２７、２７のジャッキアップで内外の支持ブラケット７、７が下フランジｂ２の内外半部上面各々に係合し、扛上して反力部３を構成することによって、非係合状態となり、その状態時に第２開閉ジャッキ３８の収縮、ポスト４８の９０度逆回動の実行で、ウェブｂ１’内外側から突設する補強用リブｂ３の正面視域から外れる位置まで水平部１８ａ、支持アーム５８を離間できるようになっている。
【００３２】
この実施の形態では、ポストガイド部５７の回動、支持アーム５８の回動については人為的に行うように構成されているが、所要のアクチュエータで制御するようにしても良いものである。
【００３３】
また、前記横梁１と、走行用支持ブラケット８を備えた走行軌条２とは走行用ジャッキ４で連絡されている。
【００３４】
前記押上げ用ジャッキ機構６は、内側の支持ブラケット７の盛り替え用ジャッキ２７をシリンダ本体として兼用できるようになっている。
【００３５】
その押上げ用ジャッキ機構６は、図４、図９等に示すようにジャッキ支持フレーム１１、１１各々に、高さ方向に等間隔をおいて差し込み孔４７ａを開孔した床版押上げポスト４７を上下動可能に貫挿すると共に、その床版押上げポスト４７に前記ポストガイド部５７を遊嵌し、前記床版押上げポスト４７上端に操作ハンドル４７ｂ’付きの押上げ実行体４７ｂを螺嵌し、その押上げ実行体４７ｂを床版Ｂ１の裏面に接近するように人為的に高さ調整した状態でポストガイド部５７に開孔されている挿し入れ孔５７ａから差し込み孔４７ａに抜き差しピン９を抜差し可能に差込係止した後、操作ハンドル４７ｂ’の回転操作で押上げ実行体４７ｂを床版Ｂ１の裏面に当接間係になるように微調整可能に構成されている。
【００３６】
また、橋梁用移動走行装置Ａには、左右の走行軌条２、２に亘って作業用足場５が架設状に連結されている。
【００３７】
次に本実施の形態橋梁用移動走行装置Ａの作動状態を説明すると、図６は、図２の長孔状の二点鎖線の部分を抽出して示しており、図６（ａ）（図８（ａ））は、第２開閉ジャッキ３８を伸長し、ポスト４８を９０度回動させて内外の走行用支持ブラケット８、８先端の水平部１８ａ、支持アーム５８がウェブｂ１’を挟む下フランジｂ２の内外半部上面各々に係合してその係合抵抗で反力部３を構成している。この時、内外の支持ブラケット７、７は盛り替え用ジャッキ２７、２７をジャッキダウンしてピストンロッド２７ａ、２７ａが収縮状態にあり、下フランジｂ２の上面に対して非係合状態になっている。
【００３８】
そして、この図６（ａ）（図８（ａ））に示す状態から第１開閉ジャッキ３７を収縮し、ポストガイド部５７を９０度回動させて内外の支持ブラケット７、７の盛り替え用ジャッキ２７、２７をウェブｂ１’内外側から突設する補強用リブｂ３の正面視域から外れる位置まで離間させてから、走行用ジャッキ４を伸長させて、前記反力部３の係合抵抗で補強用リブｂ３との衝突を回避しながら床版押上げ用ジャッキ機構６を備えた横梁１を、補強用リブｂ３を避けてコンクリート床版Ｂ１の長手方向に走行させる（図６（ｂ）（図８（ｂ）））。
【００３９】
補強用リブｂ３を避けて横梁１を走行させた後、図６（ｃ）（図８（ｃ））に示すように第１開閉ジャッキ３７を伸長し、ポストガイド部５７を９０度逆回動させてから、内外の支持ブラケット７、７の盛り替え用ジャッキ２７、２７をジャッキアップしてピストンロッド２７ａを下フランジｂ２上面に係合し扛上させて反力部３を構成し、それによって内外の走行用支持ブラケット８、８先端の水平部１８ａと、支持アーム５８を下フランジｂ２上面から浮上させる。
【００４０】
そして、その反力部３を係合抵抗として、走行用ジャッキ４を収縮することによって、長手方向両端に支持ブラケット７、７を備えた走行軌条２が前記軌条支持ブラケット５１でガイドさせて横梁１と同方向に走行する図６（ｄ）（図８（ｄ））。
そして、盛り替え用ジャッキ２７、２７をジャッキダウンして、図６（ａ）（図８（ａ））に示す初期状態に戻し、図６（ｂ）（図８（ｄ））、図６（ｃ）（図８（ｃ））、図（ｄ）（図８（ｄ））を繰り替えして作業用足場５を有する橋梁用移動用走行装置Ａを、板桁ｂ１をレール手段にして走行用ジャッキ４のストローク宛走行させることができる。
【００４１】
図７は、補強用リブｂ３を避けて走行軌条２を走行させる状態を示し、走行用ジャッキ４を収縮させる前に第２開閉ジャッキ３８を収縮し、ポスト４８を９０度回動させて内外の走行用支持ブラケット８、８先端の水平部１８ａと、支持アーム５８をウェブｂ１’内外側から突設する補強用リブｂ３の正面視域から外れる位置まで離間させた後、盛り替え用ジャッキ２７、２７をジャッキアップしてピストンロッド２７ａ、２７ａを下フランジｂ２上面に係合し扛上させて反力部３を構成してから、走行用ジャッキ４を収縮することによって、走行軌条２を、補強用リブｂ３を避けて走行させることができる。
【００４２】
コンクリート床版Ｂ１は、適宜間隔をおいて開孔されている孔１０に配置される板桁ｂ１の上フランジｂ４に立設するスタッドボルト１００を隠すようにその孔１０にコンクリート材（打設材）２００を打設して板桁ｂ１に固定されている。
【００４３】
そして、コンクリート材２００をハツった後、図９に示すようにハツリ残し近傍に床版押上げポスト４７が位置するように横梁１を前記のように下フランジｂ２に沿って走行させる。
次に、床版押上げポスト４７を、上端の押上げ実行体４７ｂがコンクリート床版Ｂ１の裏面に接近するように人為的に高さ調整して、抜き差しピン９でその高さに保持してから、操作ハンドル４７ｂ’を回転操作して押上げ実行体４７ｂをコンクリート床版Ｂ１の裏面に当接するように微調整し、盛り替え用ジャッキ２７を、下フランジｂ２上面を係合面とするようにジャッキアップさせて横梁１と共に床版押上げポスト４７を押上げることによって、コンクリート床版Ｂ１と上フランジｂ４との接着を剥して、その床版Ｂ１の張替えが行えるようになっている。
【図面の簡単な説明】
【００４４】
【図１】本実施の形態橋梁用移動走行装置の使用状態を示す正面図で一部切欠して示す。
【図２】同橋梁用移動走行装置の拡大平面図で、一半部を示す。
【図３】図２の拡大側面図。
【図４】図２の（４）−（４）線断面図。
【図５】図２の（５）−（５）線断面図。
【図６】橋梁用移動走行装置において横梁の支持ブラケットがウェブに設けた補強用リブを避けて走行する状態を、図２の長孔状の二点鎖線の部分を抽出して示し、（ａ）は、内外の支持ブラケットをウェブに設けた補強用リブの正面視域から外れる位置まで離間させた状態を、（ｂ）は、走行用ジャッキを伸長して補強用リブとの衝突を回避して横梁を走行させた状態を、（ｃ）は、盛り替え用ジャッキをジャッキアップして反力部を変更する状態を、（ｄ）は走行用ジャッキを収縮して走行軌条を走行させる状態を各々示している。
【図７】橋梁用移動走行装置において走行軌条の走行支持ブラケットがウェブに設けた補強用リブを避けて走行する状態を、図２の長孔状の二点鎖線の部分を抽出して示し、（ａ）は、走行軌条の走行用支持ブラケットをウェブに設けた補強用リブの正面視域から外れる位置まで離間させた状態を、（ｂ）は、走行用ジャッキを収縮して走行軌条を走行させる状態を各々示している。
【図８】橋梁用移動走行装置の走行状態を示す側面図で、（ａ）は、図６（ａ）、（ｂ）は、図６（ｂ）、（ｃ）は、図６（ｃ）（ｄ）は、図６（ｄ）に各々対応して示す。
【図９】押上げ用ジャッキ機構の正面図で一部切欠して示し、（ａ）は、高さ調整前の状態を示す、（ｂ）は、高さ調整後の状態を示す、（ｃ）は、押上げ実行体を回転操作して微調整した状態を示す。
【符号の説明】
【００４５】
Ａ：橋梁用移動走行装置                Ｂ：橋梁
Ｂ１：床版（コンクリート床版）          １：横梁
ｂ１：板桁                              ２：走行軌条
７：係止部（横梁側係止部、支持ブラケット）
８：係止部（軌条側係止部、走行用支持ブラケット）
ｂ１’：ウェブ                          ｂ２：下フランジ
ｂ４：上フランジ                        ４：走行用ジャッキ
２７：盛り替え用ジャッキ              ｂ３：補強用リブ
５：作業用足場                        ６：押上げ用ジャッキ機構
２７ａ：ピストンロッド（盛り替え用ジャッキのピストンロッド）
５７：ポストガイド部                    ９：抜き差しピン
４７：床版押上げポスト              ４７ｂ：押上げ実行体
３：反力部                          １０：孔
２００：打設材（コンクリート材）
【図１】
2006188824.tif 000003
【図２】
2006188824.tif 000004
【図３】
2006188824.tif 000005
【図４】
2006188824.tif 000006
【図５】
2006188824.tif 000007
【図６】
2006188824.tif 000008
【図７】
2006188824.tif 000009
【図８】
2006188824.tif 000010
【図９】
2006188824.tif 000011